(57)【特許請求の範囲】
【請求項１】
２個の楔形部分を有するボディーと、前記２個のボディー部分間に配置されて、前記２個のボディー部分を互いに相対的に回すことができるようにし、それにより前記ボディーの両端を変更可能な角度で互いに傾斜させる中間軸受と、前記ボディの両端がそれぞれ端部軸受を介して結合された２個のエンド部材と、前記エンド部材間の相対回転を防止するための手段とを備えることを特徴とする運動用器具。
【請求項２】
一方の前記ボディ部分を前記中間軸受を介して他方に関して回すための駆動モータを備えることを特徴とする請求項１記載の運動用器具。
【請求項３】
前記駆動モータの通電を遮断すると、前記２個のボディ部分が互いに相対的に回転不能に固定されるようになっていることを特徴とする請求項２記載の運動用器具。
【請求項４】
前記駆動モータを時々通電して、前記２個のボディ部分の相対角度位置、及び従って前記エンド部材の相対傾斜角度を変更するようになっていることを特徴とする請求項３記載の運動用器具。
【請求項５】
一方の前記ボディ部分をその対応する端部軸受上でかつ対応するエンド部材に関して回すための駆動手段を備えることを特徴とする請求項１乃至４のいずれか記載の運動用器具。
【請求項６】
前記駆動手段が、その対応するエンド部材に関して前記一方のボディ部分の回転方向を定期的に変えるようになっていることを特徴とする請求項５記載の運動用器具。
【請求項７】
前記ボディ部分を前記エンド部材に結合させている前記端部軸受が、互いに偏倚した回転軸を有することを特徴とする請求項１乃至６のいずれか記載の運動用器具。
【請求項８】
一方の前記エンド部材が、水平に配置するためのベースからなり、かつ他方の前記エンド部材が、利用者がその上に立ち又は座るためのプラットホームを形成することを特徴とする請求項１乃至７のいずれか記載の運動用器具。
【発明の詳細な説明】
技術分野
本発明は、特に使用者の足首、脚部及び腰の運動を行うための運動用器具に関する。この運動用器具は、例えばリハビリテーションの目的に、又は運動家の健康を増進するために用いることができる。
背景技術
日常の生活では、運動や訓練を殆ど又は全く受けない筋肉が多くあり、特に足首の周囲の筋肉及び背中の下側の筋肉がそうである。従来より多数の様々な運動用器具が提案されているが、本発明は、改良された器具を提供することを目的とする。
発明の開示
本発明によれば、２個の楔形部分を有するボディからなり、前記２個の部分が、前記ボディの両端が互いに傾斜するように相対的に回転し、前記ボディの前記両端がそれぞれ軸受によりエンド部材に結合していることを特徴とする運動用器具が提供される。
或る実施例では、前記２個のボディ部分が互いに相対的に選択された角度まで回転しかつそこで一体に固定させることができる。前記ボディの両端間の傾斜角度は、前記２個のボディ部分が一体に係合する相対角度に従って変化することになる。
この運動用器具は、様々なやり方で使用することができる。例えば、前記２個のエンド部材の一方が、地面の上に平らに置かれるベースを形成し、かつ他方のエンド部材が、その上に使用者が立つためのプラットホーム即ちフットプレートを形成するように、地面に配置することができる。利用者は、その体重を円形を描くように適当に移動させることによって、前記プラットホームの傾斜角度を対応する円形に回し、それと同時に下側の前記ボディ部分をその軸受上で前記ベースに関して回転させることができる。前記プラットホームがベースに関して回転しないようにするための手段が設けられているが、第２の軸受により前記上側のボディ部分が前記プラットホームに関して自由に回転できるようになっていると好都合である。前記運動用器具は、その上に立つのではなく、その上に座るように用いることができる。
前記運動用器具が、そのボディを駆動し、かつそれにより前記プラットホームの傾斜角度を円形に回させるための駆動モータを備えると好都合である。この運動用器具は、このような形態をなすことにより利用者の側に何らかの技術を要求しないので、特に有利である。
２個の楔形ボディ部分の間に第３の軸受を設けて、前記運動用器具に不規則な動作を生じるという特徴を加えることができる。
別の変形例では、互いに相対的に回転し得る３個以上の楔形部分でボディを構成することができる。
【図面の簡単な説明】
以下に、本発明の具体的態様について添付図面を参照しつつ、実施例を用いて詳細に説明する。
第１図は、本発明による運動用器具の概略側面図である。
第２図は、前記運動用器具のボディ部分が１個の円筒体からどのように形成されるかを示す概略図である。
第３図は、本発明による運動用器具の別の実施例を示す図である。
第４図は、本発明による運動用器具の別の実施例を示す断面図である。
第５図は、第４図の運動用器具の対応する側面図である。
第６図は、第５図の運動用器具を矢印Ａの向きに見た図である。
第７図は、第４図乃至第６図の運動用器具の底面図である。
発明を実施するための最良の形態
第１図及び第２図には、その横断方向の端面に対して鋭角に傾斜する平面Ｐに沿って２個の部分１０、１２に分割されている中空円筒状のボディからなる運動用器具が示されている。２個の円形をなす楔形部分１０、１２は、選択された或る角度まで相互に回転し、かつそこで相対的に動作しないように一体に固定することができる。例えば、一方の部分１０には、そのリムの周囲に沿って間隔をおいてピンを、他方の部分１２のリムに同様に間隔をおいて設けられたソケット内に位置するように突設することができる。このようにして、第１図に示されるように、上側部分１０の上側リムが下側部分１２の下側リムに対して或る角度で傾斜した状態となる。傾斜角度は、２個の部分１０、１２を一体に係合させる前に、（第２図に示す基準位置から）互いに相対回転させる角度に従って、最小角度と最大角度との間で調整し、又は選択することができる。
下側部分１２は、その下側リム上に環状軸受１４（例えば玉軸受（ball race））を担持しており、それによって下側部分１２が垂直軸の周りに回転するようにベース１６に取り付けられている。上側部分１２は、その上側リム上に同様の環状軸受１８を担持し、それにより円形のプラットホーム即ちフットプレート２０が取り付けられている。連結具２２が、その両端においてプラットホーム２０の下面とベース１６の上面とに回転可能に固定されて、プラットホーム２０がベース１６に対して相対的に回転しないようになっている。連結具２２は、２個のボディ部分１０、１２の中空の中心部を通って延長するように図示されているが、これに代えて、これらの部分の外側を延長するように設けることができる。
図示される実施例では、電動モータ２４がベース１６に取り付けられ、かつ符号２５で示されるギヤケース（gear chain）又は他の適当なトランスミッションを介して、下側ボディ部分１２を駆動し、それによりこの部分をその垂直軸の周りに回転させるように構成されている。プラットホーム２０は傾斜するとその傾斜した状態のままであるが、その傾斜している角度の方向は、前記モータにより下側ボディ部分１２がその軸を中心に回転すると、円の形に回るようになっていることに注目すべきである。しかしながら、プラットホーム２０はベース１６に対して相対的に回転しないように保持されるが、上側ボディ部分１０は、下側ボディ部分１２と共に回転するので、軸受１８によって前記プラットホームに対して相対的に回転することができる。
使用時に、運動しようとする者は、プラットホーム２０の上に立ち、かつ支持フレーム２６上のスイッチを介してモータ２４をオンにする。上述したように、プラットホーム２０は回転しないが、その傾斜方向がぐるっと円形に動く。利用者は概ね腰の高さの位置で支持フレーム２６に掴まることができる。別の実施例では、支持フレーム２６を無くしたり使わないで、利用者が自分でバランスをとる。このようにして、利用者の敏捷性及び平衡感覚が改善される。何れの場合にも、前記モータが向きを定期的に変えるようになっていると好都合である。
前記運動用器具は、必ずしも前記駆動モータを備える必要がない。この場合には、利用者がその体重を前記プラットホームの放射方向外側の適当な部分に、適当な円を描くようにかけることによって、ボディ１０、１２を前記垂直軸の周りに回転させ、前記傾斜方向をその円の形に回すことができる。この場合、前記ボディが各方向について回る回数を制限し、反対方向に回さなければならなくなる手段を設けることができる。また、ボディ１０、１２の回転に抵抗する摩擦手段又は他の手段を設けることにより、運動する者が抵抗を受けるようにすると好都合である。
上述した運動用器具は、前記駆動モータがあってもなくても、その上に立つのではなくその上に座るようにして用いることができる。第３図に示される実施例は、第１図及び第２図のような２個の同一のボディ部分と、円形をなす２個の同一のエンドプレート３０、３２とを有する。前記運動用器具は、その上に立つこと又はその上に座ることを含めて、様々なやり方で用いることができるが、例えば、前記器具を両手で掌を２個のエンドプレート３０、３２に対して平らに当てて掴んだ場合には、腕や手を運動又は訓練するために用いることもできる。
上述した運動用器具の全ての形態について、更に変形を加えることができる。例えば、第３の環状軸受により２個のボディ部分１０、１２の一体に取り付け、両ボディ部分間の相対的な回転を可能にして、前記器具に不規則な動作を行なう特徴を与えることができる。別の変形例では、下側の軸受１４を、その軸を下側のボディ部分１２の軸線から偏倚させて、即ち前記軸線に対して偏心させて配置することができる。別の変形例では、例えば、第２図の円筒状ボディを２つ又はそれ以上の傾斜した平面に沿って、それにより３個又はそれ以上の楔形部分に分割することにより、前記ボディを３個以上の楔形部分で構成することができる。
第４図乃至第７図には好適な実施例が示されており、ベース４０と、プラットホーム５０と、２個の円形の楔形部分６２、６４からなるボディとを備える。軸７０がベース４０の中心を貫通して延長し、ベース４０の内部に取り付けられた軸受７２にジャーナル支持されている。下側ボディ部分６２は、軸７０の上部に固定されている。平坦な軸受７４（例えば、玉軸受）が、楔形ボディ部分６２、６４の傾斜面の間に配置されている。軸受７６はプラットホーム５０の内部に取り付けられ、かつ上側のボディ部分６４に固定されているスタブ軸７８が、この軸受７６にジャーナル支持されている。ベース４０は、軸７０を回転させ、従って下側ボディ部分６２を回転させるための電動モータを収容するエンクロージャ（図示せず）上に取り付けられている。上側及び下側ボディ部分６２、６４は、軸受７２を介して互いに相対的に自由に回転することができる。しかしながら、前記上側及び下側ボディ部分をいずれかの選択された相対的な回転角度で一体に固定するための手段が設けられていると好都合である。例えば、前記両ボディ部分を、ステッパモータで駆動される歯車機構により連結することができ、前記ステッパモータは、通電すると一方のボディ部分を他方に対して回転させ、かつ次に遮断すると前記両ボディ部分を互いに相対的に回転しないように固定することができる。主駆動モータ、即ちモータ駆動軸７０が、スイッチをオンにした時には速度を徐々に早くし、かつスイッチをオフした時に速度を徐々に下げるようになっていると好都合である。運転中、このモータは定期的に方向を変えることができる。この主駆動モータが運転している間、前記２個のボディ部分のステッパモータは、時々通電して、前記２個のボディ部分の相対的な角度位置を、従ってプラットホーム５０の傾斜角度を変化させることができる。
プラットホーム５０は、ベース４０からボディ６２、６４の外面付近で上向きに突出するブラケット８０からなるジンバル構造により、ベース４０に関して回転することを制限されることが分かる。ブラケット８０は、バー８２が枢着され、かつボディ６２、６４の周辺付近に９０度に亘って延在する。バー８２は、その自由端にブラケット８４が枢着され、ブラケット８４はプラットホーム５０から下向きに突出している。
第４図乃至第７図の運動用器具は、使用する傾斜角度及び回転速度を制御して、一定の自動的な動作による足首、膝、腰及び背中の運動をすることができる。必要な場合には、方向を変えて強さ及び柔軟性を増すようにすることができる。プラットホームがベースに関して回転しないように固定され、かつボディが駆動モータにより回転することから、利用者の側に何ら技術が要求されないという点で特に有利である。
【図１】
0003780301.tif 000002
【図２】
0003780301.tif 000003
【図３】
0003780301.tif 000004
【図４】
0003780301.tif 000005
【図５】
0003780301.tif 000006
【図６】
0003780301.tif 000007
【図７】
0003780301.tif 000008